(57)【特許請求の範囲】
【請求項１】
畝上に載置され畝上を走行自在とした一対の前車輪と一対の後車輪と、
前記前後車輪の間隙に配設した本体部と、
前記本体部に突設して後方に上昇して伸延する操作ステー部と、からなり、
前記本体部は、前記前後車輪の車軸方向と同方向に回動自在に軸支した回動軸と、
前記回動軸から放射方向に突設した軸受部に２つのフレール刃を拡開して軸支した複数の切断部と、
前記回動軸を正逆駆動自在とする電気モーターと、を備え、
前記操作ステー部は、把持部と、前記電気モーターの動作を操作する操作部と、を有すると共に、前記操作部には少なくとも前記電気モーターの正逆回転を切替自在とする切替スイッチを備えたことを特徴とする簡易蔓切機。
【請求項２】
前記操作ステー部は、前記本体部を基点として左右に移動自在に形成したことを特徴とする請求項１に記載の簡易蔓切機。
【請求項３】
前記操作ステー部は、前記本体部を基点として上下に移動自在に形成したことを特徴とする請求項１または２に記載の簡易蔓切機。
【請求項４】
前記前後車輪は、円錐台状に形成して縮径した上底部が内側となるよう配置したことを特徴とする請求項１乃至３の何れか１項に記載の簡易蔓切機。
【請求項５】
前記フレール刃の刃部は、上部に頂角をなす断面視二等辺三角形状に形成し、前記フレール刃の基部と前記刃部とでなす角度を１１０°以上１３０°以内に形成したことを特徴とする請求項１乃至４の何れか１項に記載の簡易蔓切機。
【発明の詳細な説明】
【技術分野】
【０００１】
本発明は、マルチフィルムで被覆された畝上を走行させることで長尺の蔓を有する甘藷等の茎葉部を容易に切断することができる簡易蔓切機に関する。
【背景技術】
【０００２】
従来、甘藷等の植物は、保温性の向上や成長した蔓が畝に根を張ることを防止するために複数の畝を平行に形成して各畝をマルチフィルムと呼ばれる樹脂製のフィルムで覆い、畝の上部に所定の間隔で苗を植えて栽培される。
【０００３】
また、作業通路として使用される畝間に至るまで複数の畝の全ての部分をマルチフィルムで被覆するとフィルム浮きや水はけの問題、畝間での作業時のフィルム破断や歩行が不安定となるため畝間をマルチフィルムで被覆することはない。
【０００４】
従って、このような栽培では成長した蔓が畝の上部からマルチフィルムに沿って下方の畝間に達しそこで蔓の節から不定根を張るため、そのままでは収穫時にマルチフィルムを剥がせず畝の中から甘藷等を掘り出すことができないことから、畝上の株元の茎葉部を鎌等の農具を使って人手により切断しマルチフィルム上の蔓を全て畝間に載置した後でマルチフィルムを巻き取るようにして剥がす必要がある。
【０００５】
しかしながら、茎葉部の切断を人的作業で行うのは非常に煩雑であるため、例えば、特許文献１に開示されるように、トラクタ等の農作業機で牽引され畝を跨いで両畝間を走行可能な車輪を備えた大型の蔓切機が考案され実際に使用されている。
【０００６】
また、例えば、特許文献２に開示されるように、作業者自身が押しながら蔓切り作業を可能とする比較的小型の蔓切機が考案されている。
【０００７】
これらの蔓切機は何れも畝間の蔓を引き起こしながら株元の茎葉部を回転するフレール刃で切断しようとするものである。
【先行技術文献】
【特許文献】
【０００８】
【特許文献１】特開２０００−２８７５１６号公報
【特許文献２】実開昭５７−５９５２６号公報
【発明の概要】
【発明が解決しようとする課題】
【０００９】
確かに特許文献１に記載の技術によれば、畝間に跨ぐようにして蔓切機を牽引したトラクタを走行させれば蔓掻き上げディスク６５で畝間の蔓を上方に持ち上げつつ回転するフレール刃２２で蔓や茎葉部を切断できる点で優れている。
【００１０】
しかしながら、特許文献１に係る技術は、尾輪３４の昇降調整機構を備えるものの装置全体が大型でありフレール刃２２も大型であるためマルチフィルム２４を切断しないようにマルチフィルム２４とフレール刃２２との距離を調整しても畝間から畝１０の上部までの高さのバラツキに追従するよう都度昇降調整をするのは非常に煩雑である。
【００１１】
また、万一、マルチフィルム２４を切断してもマルチフィルム２４がフレール刃２２に巻き付かないように中央部のフレール刃２２ａを直線的に形成しているものの、畝間は雨等でぬかるんだり作業者が歩行することで平坦性は極めて悪い状態であり、畝間に車輪が位置する大型で重量物の蔓切機は大きく左右に揺れながら上下して走行することになり、昇降調整機構やフレール刃２２の形状だけでは巻き付きを防止することはできない。
【００１２】
また、特許文献２に記載の技術によれば、支持輪１８を畝上に、主車輪４を畝間に配置して畝１５に沿って操縦ハンドル３を操作して作業者が歩きながら作業ができ、案内部材１１で畝間の蔓を上方に持ち上げつつ回転するフレール刃７で蔓や茎葉部を切断できる点で優れている。
【００１３】
しかしながら、特許文献２に係る技術は、主車輪４を畝間に配置するため上述のように平坦性の悪い畝間では蔓切機は大きく左右に揺れながら上下して走行することになり、たとえ支持輪１８が畝上に位置されていても畝上で支持輪１８の左右上下の移動を安定させながらフレール刃７がマルチフィルム９に接触しないように蔓切機を走行させることは難しい。
【００１４】
また、操縦ハンドル３を操作しながら歩行する作業者は、収穫物に負荷を与えないよう畝上を歩くことができないため畝間に跨りながら歩行する必要があり、蔓切機が比較的小型でありながら作業性は煩雑となってしまう。
【００１５】
更に、特許文献１、２に係る技術は、フレール刃を回転させる動力が内燃機関であるエンジンのためマルチフィルムがフレール刃に巻き付いた場合に可及的に停止できず、マルチフィルムを破断して周辺に飛散させてしまう。
【００１６】
このような問題を有するため、市販されている上述のような高価な蔓切機を購入しても多くの場合継続使用されず茎葉部の切断を人的作業で行っているのが現状である。
【００１７】
この発明は、以上のような事情に鑑みてなされたものであり、マルチフィルムで被覆された畝上を走行させることで長尺の蔓を有する甘藷等の茎葉部を容易に切断することができ、しかも、切断時にマルチフィルムを巻き込んだとしても容易に解消することができる簡易蔓切機を提供することにある。
【課題を解決するための手段】
【００１８】
以上のような目的を達成するために、本発明は以下の技術を提供する。
【００１９】
請求項１に係る発明では、畝上に載置され畝上を走行自在とした一対の前車輪と一対の後車輪と、前記前後車輪の間隙に配設した本体部と、前記本体部に突設して後方に上昇して伸延する操作ステー部と、からなり、前記本体部は、前記前後車輪の車軸方向と同方向に回動自在に軸支した回動軸と、前記回動軸から放射方向に突設した軸受部に２つのフレール刃を拡開して軸支した複数の切断部と、前記回動軸を正逆駆動自在とする電気モーターと、を備え、前記操作ステー部は、把持部と、前記電気モーターの動作を操作する操作部と、を有すると共に、前記操作部には少なくとも前記電気モーターの正逆回転を切替自在とする切替スイッチを備えたことを特徴とする簡易蔓切機を提供せんとする。
【００２０】
請求項２に係る発明では、前記操作ステー部は、前記本体部を基点として左右に移動自在に形成したことを特徴とする請求項１に記載の簡易蔓切機を提供せんとする。
【００２１】
請求項３に係る発明では、前記操作ステー部は、前記本体部を基点として上下に移動自在に形成したことを特徴とする請求項１または２に記載の簡易蔓切機を提供せんとする。
【００２２】
請求項４に係る発明では、前記前後車輪は、円錐台状に形成して縮径した上底部が内側となるよう配置したことを特徴とする請求項１乃至３の何れか１項に記載の簡易蔓切機を提供せんとする。
【００２３】
請求項５に係る発明では、前記フレール刃の刃部は、上部に頂角をなす断面視二等辺三角形状に形成し、前記フレール刃の基部と前記刃部とでなす角度を１１０°以上１３０°以内に形成したことを特徴とする請求項１乃至４の何れか１項に記載の簡易蔓切機を提供せんとする。
【発明の効果】
【００２４】
請求項１記載の発明によれば、畝上に載置され畝上を走行自在とした一対の前車輪と一対の後車輪と、前後車輪の間隙に配設した本体部と、本体部に突設して後方に上昇して伸延する操作ステー部と、からなり、本体部は、前後車輪の車軸方向と同方向に回動自在に軸支した回動軸と、回動軸から放射方向に突設した軸受部に２つのフレール刃を拡開して軸支した複数の切断部と、回動軸を正逆駆動自在とする電気モーターと、を備え、操作ステー部は、把持部と、電気モーターの動作を操作する操作部と、を有すると共に、操作部には少なくとも電気モーターの正逆回転を切替自在とする切替スイッチを備えたことより、畝の高さのバラツキや畝間の平坦性に影響されず畝上を走行させることができるため株元の茎葉部を安定的に切断することができる。
【００２５】
また、万一、フレール刃がマルチフィルムと接触して巻き込んでも切替スイッチで可及的に回動軸を逆回転させて巻き込みを解消することができる。
【００２６】
また、重量物となる機構を備えておらずシンプルで小型・軽量なので取り扱いが容易であり、畝上を走行させても畝内の収穫物に負荷を与えず、更に、未使用時の収納場所に困ることもなく、しかも、安価に製造することができる。
【００２７】
請求項２記載の発明によれば、操作ステー部は、本体部を基点として左右に移動自在に形成したことより、畝間に跨ることなく一本の畝間を歩行しながら簡易蔓切機を走行させることができるので楽な姿勢で効率よく作業を行なうことができる。
【００２８】
請求項３記載の発明によれば、操作ステー部は、本体部を基点として上下に移動自在に形成したことより、畝の高さがバラついても簡易蔓切機を安定して走行させることができ、更に、背丈の異なる作業者でも共通使用が可能なので汎用性に優れている。
【００２９】
請求項４記載の発明によれば、前後車輪は、円錐台状に形成して縮径した上底部が内側となるよう配置したことより、前後車輪が畝上の両縁部を挟持するようにして安定走行させることができる。
【００３０】
請求項５記載の発明によれば、フレール刃の刃部は、上部に頂角をなす断面視二等辺三角形状に形成し、フレール刃の基部と刃部とでなす角度を１１０°以上１３０°以内に形成したことより、広い刃幅で茎葉部を安定的に切断でき、更に、左右の畝間に伸びる蔓を的確に捕らえて切断でき、しかも、フレール刃の片側の一方の刃が消耗しても取付け位置を逆にすれば他方の刃で切断が可能となるためフレール刃の寿命を延ばすことができる。
【図面の簡単な説明】
【００３１】
【図１】本実施形態に係る簡易蔓切機の前方斜視図である。
【図２】本実施形態に係る簡易蔓切機の使用状態を示す左側面説明図である。
【図３】本実施形態に係る簡易蔓切機の使用状態を示す背面説明図である。
【図４】本実施形態に係る簡易蔓切機の底面斜視図である。
【図５】本実施形態に係る簡易蔓切機の操作ステー部を除く部分平面透視図である。
【図６】図５のＡ−Ａ線断面図である。
【図７】図５のＢ−Ｂ線断面図である。
【図８】図５のＣ−Ｃ線断面図である。
【図９】（ａ）は切断部を示す斜視図であり、（ｂ）はフレール刃の左側面図で、（ｃ）は正面図である。
【図１０】本実施形態に係る簡易蔓切機の部分拡大前方斜視図である。
【図１１】本実施形態に係る簡易蔓切機の他の部分拡大前方斜視図である。
【発明を実施するための形態】
【００３２】
本発明の実施形態に係る簡易蔓切機の要旨は、畝上に載置され畝上を走行自在とした一対の前車輪と一対の後車輪と、前後車輪の間隙に配設した本体部と、本体部に突設して後方に上昇して伸延する操作ステー部と、からなり、本体部は、前後車輪の車軸方向と同方向に回動自在に軸支した回動軸と、回動軸から放射方向に突設した軸受部に２つのフレール刃を拡開して軸支した複数の切断部と、回動軸を正逆駆動自在とする電気モーターと、を備え、操作ステー部は、把持部と、電気モーターの動作を操作する操作部と、を有すると共に、操作部には少なくとも電気モーターの正逆回転を切替自在とする切替スイッチを備えたことを特徴とする。すなわち、マルチフィルムで被覆された畝上を走行させることで長尺の蔓を有する甘藷等の茎葉部を容易に切断することができ、しかも、切断時にマルチフィルムを巻き込んだとしても容易に解消することができる簡易蔓切機の提供を図ろうとするものである。
【００３３】
以下、本発明に係る簡易蔓切機１の一実施形態について図面を参照しながら説明する。また、本説明中において左右同一又は左右対称の構造や部品については、原則として同一の符号を付し、左右何れか一方のみを説明して、他方については説明を適宜省略する。
【００３４】
また、本説明中における簡易蔓切機１の前後左右の位置関係は、図１において最も左側に図示された前車輪２の側が前方で、最も右側に図示された保護キャップ４５の側が後方で、後方から前方を臨んだ際に左側となる側が左側、すなわち図示された本体部１２の側面（１８）の側が左側で、図示されない対向する側を右側として説明している。
【００３５】
なお、本説明中では、畝ＵはマルチフィルムＦで被覆されたものとして説明するため、畝Ｕ上との表現は畝Ｕの上部であってその部分のマルチフィルムＦの表面部分を示すものとして説明する。
【００３６】
また、本説明中における茎葉部Ｋには蔓Ｋ１も含むものとして説明する。
【００３７】
本発明の実施形態に係る簡易蔓切機１は、図１，２，４に示すように、畝Ｕ上に載置され畝上を走行自在とした一対の前車輪２と一対の後車輪３と、前後車輪２，３の間隙に配設した本体部１２と、本体部１２に突設して後方に上昇して伸延する操作ステー部４１と、からなり、本体部１２は、前後車輪２，３の車軸６方向と同方向に回動自在に軸支した回動軸２５と、回動軸２５から放射方向に突設した軸受部２７に２つのフレール刃３１を拡開して軸支した複数の切断部２６と、回動軸２５を正逆駆動自在とする電気モーター３７と、を備え、操作ステー部４１は、把持部４８と、電気モーター３７の動作を操作する操作部４９と、を有すると共に、操作部４９には少なくとも電気モーター３７の正逆回転を切替自在とする切替スイッチ５１を備えている。
【００３８】
従って、作業者Ｍは、図２，３に示すように、マルチフィルムＦで被覆された畝Ｕ上に載置された前後車輪２，３を有する本体部１２の後方から操作ステー部４１の把持部４８を握り、簡易蔓切機１を押し出すようにして畝Ｕ間を歩行するだけで回転するフレール刃３１により株元の茎葉部Ｋを容易に切断することができ、万一、フレール刃３１にマルチフィルムＦが巻き付いたとしても、手元の切替スイッチ５１を操作するだけで可及的にフレール刃３１を逆回転させて巻き付きを解消することができる。
【００３９】
そして、畝ＵからマルチフィルムＦを剥がす際に邪魔になる畝Ｕ上で切断された茎葉部Ｋを畝Ｕ間に載置してマルチフィルムＦの剥がし作業を行い、畝Ｕ内の収穫物Ｓを専用の機械や手作業で掘り起こして収穫することができる。
【００４０】
以下、本実施形態に係る簡易蔓切機１の各部の構成について具体的に詳述する。
【００４１】
前後車輪２，３は、図４，５に示すように、薄板状の合成樹脂材を下底部５が開口した円錐台状に形成し、縮径した上底部４が内側となるよう車軸６の両端部に上底部４の中心を連結し、車軸６は本体部１２の前後壁１４，１５にボルト等を用いて突設した軸受７を介して回動自在に軸支している。
【００４２】
また、軸受７は一方の端部が湾曲した矩形ブロック状に形成し、他方の端部を前後壁１４，１５に接続すると共に、一方の端部側に車軸６を回動自在に軸支する車軸挿通孔８を穿設している。
【００４３】
なお、車軸挿通孔８には車軸６の回動性を向上させるために合成樹脂製で筒状の摺動部材やベアリング等を配設してもよい。
【００４４】
また、前後車輪２，３と車軸６は、上底部４の裏面に重設したドーナツ状の軸止部９に接合して一体に形成しているが、軸止部９を合成樹脂製の摺動部材やベアリング等として前後車輪２，３を車軸６に対して回動自在に形成してもよい。
【００４５】
なお、本体部１２に対する前後車輪２，３の上下位置は、前後壁１４，１５の鉛直方向に複数のボルト孔を穿設する等して軸受７の位置を変更自在に形成することができる。
【００４６】
本体部１２は、上片１３が平面視長方形状で下方開口の箱状に形成すると共に、前後壁１４，１５の下部側には湾曲凹状の門型とした挿入部１６と排出部１７を形成している。
【００４７】
また、図６〜図８に示すように、本体部１２の長手方向を形成する左右側壁１８，１９の略中央部には、左右側壁１８，１９間で回動する円柱状の回動軸２５を軸架し、回動軸２５には回動軸２５から放射方向に溶接等により突設した軸受部２７に２つのフレール刃３１を拡開して軸支した複数の切断部２６を形成している。
【００４８】
軸受部２７は、図９（ａ）に示すように、板状で角部を湾曲して面取りした略菱形に形成し、中央部には回動軸２５が挿通する回動軸孔２８を穿設すると共に、両端部にはフレール刃３１を軸支するためのフレール軸３０を軸通するフレール軸孔（図示せず）を穿設している。
【００４９】
フレール刃３１は、図９（ｂ）、（ｃ）に示すように、所定の厚みを有する金属材料からなり、鉛直方向に伸延する基部３２と略水平方向に伸延する刃部３４とで略Ｌ字状に形成し、基部３２は、上端部を湾曲させ上端部近傍にフレール軸３０を軸通する軸支孔３３を穿設している。
【００５０】
また、刃部３４は、上部に頂角３５をなす断面視二等辺三角形状に形成し、フレール刃３１の基部３２と刃部３４とでなす角度θを１１０°以上１３０°以内に形成している。
【００５１】
このようなフレール刃３１は、図９（ａ）に示すように、軸受部２７を挟持するように拡開して対向配置すると共に軸支孔３３とフレール軸孔とを連通させフレール軸３０で軸支することで合計４個のフレール刃３１を有する切断部２６を形成する。
【００５２】
なお、フレール軸３０は、各々のフレール刃３１が単独でフレール軸３０周りに負荷なく回動自在となるよう軸支孔３３に遊挿されれば良い。
【００５３】
また、切断部２６は、図６、図７に示すように、回動軸２５の長さの略１／３と略２／３の２箇所の位置において隣接するフレール刃３１が離間するように軸受部２７を９０°ずらして配設し合計８個のフレール刃３１を備えているが、切断部２６の数は本実施形態に限定されるものではない。
【００５４】
また、本実施形態ではフレール刃３１の刃部３４を本体部１２の下方から若干だけ突出するように形成しているがこれに限定されるものではなく、畝Ｕの状況や茎葉部Ｋの状態により種々の変形・変更が可能である。
【００５５】
また、回動軸２５の一方の端部は右側壁１９の外周面に突設した電気モーター３７のモーター軸と連結し、他方の端部は左側壁１８の外周面に突設したベアリング３８により回動自在に構成している。
【００５６】
電気モーター３７は減速機を内在し、図示しない電気配線により、図１に示すように、本体部１２の上片１３の上部に配設した制御ボックス２４内の蓄電池と接続され電気モーター３７を駆動させる。
【００５７】
また、制御ボックス２４には蓄電池以外に電気モーター３７の動作を制御する制御回路等が配設され、後述する操作ステー部４１の操作部４９によって操作される。
【００５８】
なお、本実施形態では制御ボックス２４を本体部１２の上片１３に配設しているが、これに限定されるものではなく、また、蓄電池を操作ステー部４１に配設したり、制御回路を操作部４９に配設する等、本発明の要旨の範囲内において種々の変形・変更が可能であることは言うまでもない。
【００５９】
また、本体部１２には、図４、図６に示すように、切断された茎葉部Ｋを後方の排出部１７からスムーズに排出されるように排出案内部２０を形成している。
【００６０】
排出案内部２０は、略矩形板状に形成し、本体部１２の上片１３の裏面略中央部から後壁１５の排出部１７に向けて傾斜して配設し、上片１３の裏面と左右側壁１８，１９の内壁に３辺を接続すると共に、開放端部２１を湾曲凹状に形成している。
【００６１】
開放端部２１は後壁１５と連接しないように後壁１５の手前まで伸延させ間隙を設け、排出案内部２０と左右側壁１８，１９、後壁１５とで囲繞された空間を負荷軽減部２２とし、万一、切断された茎葉部Ｋが後壁１５側で滞留しても茎葉部Ｋが一時的に負荷軽減部２２に納まることで滞留した茎葉部Ｋによる本体部１２の浮き上がり等を防止することができる。
【００６２】
なお、本実施形態では排出案内部２０と後壁１５とが連接しないように形成しているが、これに限定されるものではない。
【００６３】
また、本体部１２には、図１に示すように、後方に上昇して伸延する操作ステー部４１を突設しており、操作ステー部４１は、把持部４８と、電気モーター３７の動作を操作する操作部４９と、を有すると共に、操作部４９には電気モーター３７の正逆回転を切替自在とする切替スイッチ５１を備えている。
【００６４】
なお、操作部４９は、図示しない電気配線により本体部１２の上片１３の上部に配設した制御ボックス２４内の蓄電池や制御回路等と接続されている。
【００６５】
また、操作ステー部４１は、本体部１２を基点として左右に移動自在に形成すると共に、本体部１２を基点として上下に移動自在に形成している。
【００６６】
具体的には、操作ステー部４１は、本体部１２から後方に伸延する丸棒状の支持ステー４２と、支持ステー４２の中途部に連接し把持部４８と操作部４９を有する把持ステー４７と、本体部１２の上片１３の上面前方で支持ステー４２と連接する第一支持部６２と、本体部１２の上片１３の上面後方で支持ステー４２と連接する第二支持部７０とで構成している。
【００６７】
支持ステー４２は、先端側の周側面に所定の間隔で複数穿設した長さ調整用の係止孔４３を有し、後端側の一部には周側面を被覆する所定厚みの弾性部材からなる干渉保護部４４を形成すると共に、後端部には弾性部材からなる保護キャップ４５を形成している。
【００６８】
係止孔４３は、後述する第一支持部６２と係合して支持ステー４２の前後位置を調整自在とし、干渉保護部４４は、図３に示すように、使用時に作業者Ｍの胴体と接触しても負荷が軽減され、保護キャップ４５は、使用時や移動時等での人体等への接触時の負荷が軽減されるものである。
【００６９】
また、図１に示すように、把持ステー４７は、干渉保護部４４の下方近傍で連結部５７を介して支持ステー４２と連接すると共に、外側に若干だけ拡開した外観視略Ｕ字状に形成し、左右端縁部には握り易い形状とした把持部４８を形成している。
【００７０】
また、右端縁の上部側上面には正回転スイッチ５０とその対向裏面には逆回転スイッチとして切替スイッチ５１を配設している。
【００７１】
また、左端部には、矩形箱状の操作ボックス５２を配設し、操作ボックス５２には、図３に示すように、主電源のＯＮ／ＯＦＦを行う電源スイッチ５３と、電気モーター３７の回転数を調整自在とする回転数調整ダイヤル５４と、電気モーター３７の操作状況をＬＥＤ光源の位置で確認可能な表示部５５を備えている。
【００７２】
従って、本実施形態においては、正回転スイッチ５０と切替スイッチ５１、及び操作ボックス５２からなる各種操作部材が操作部４９として機能するが、操作ステー部４１に操作部４９を有し操作部４９に電気モーター３７の正逆回転を切替自在とする切替スイッチ５１を備えている限り、本発明の要旨の範囲内である。
【００７３】
なお、支持ステー４２と把持ステー４７との連結部材である連結部５７は、図４に示すように、支持ステー４２を囲繞しながら任意の位置で略固定可能な筒状の支持ステー連結固定部５８と、把持ステー４７の略中央部を囲繞しながら任意の回動位置で略固定可能な筒状の把持ステー連結固定部５９が、支持ステー連結固定部５８に対して把持ステー連結固定部５９が容易に回動可能な回動連結軸６０を介して連接している。
【００７４】
連結部５７をこのように形成することで、作業者Ｍが簡易蔓切機１を操作する際に把持ステー４７を最適な位置に調整して使用することができる。
【００７５】
また、図１０に示すように、本体部１２の上片１３の上面前方で支持ステー４２と連接する第一支持部６２は、支持ステー４２の先端部を挿通して略固定する係合ピン６７を備えた水平・垂直回動自在の第一自在継手６３で構成している。
【００７６】
第一自在継手６３は、下部側で本体部１２の上片１３と接続し上部側が水平回動自在となる水平回動部６４と、水平回動部６４の上部に立設した外観視Ｙ字状の支持体６８に水平方向で軸支された筒状の第一支持ステー固定部６６からなる垂直回動部６５とで構成している。
【００７７】
従って、筒状の第一支持ステー固定部６６に支持ステー４２を挿入し、所定の位置で支持ステー４２の係止孔４３に係合ピン６７を係合させれば支持ステー４２の前後位置を調整することができる。
【００７８】
なお、支持ステー４２を前方に長く突出させれば簡易蔓切機１の進行方向を示す目印として有効に機能するため、このように調整すれば畝Ｕ上の意図した位置に対して簡易蔓切機１を確実に走行させることができる。
【００７９】
また、本体部１２の上片１３の上面後方で支持ステー４２と連接する第二支持部７０は、支持ステー４２の前方中途部を囲繞して蝶ボルト７２とナット７３により挟持固定可能な第二支持ステー固定部７１と、第二支持ステー固定部７１の下部側と連接して支持ステー４２の高さを調整自在とする高さ調整部７５と、高さ調整部７５の下部側と連接して本体部１２の上片１３の上面と連接する第二自在継手７９とで構成している。
【００８０】
高さ調整部７５は、調整釦７７を備えた筒状部７６と、軸心部７８とからなり、軸心部７８は筒状部７６に上下自在に挿入され、軸心部７８の周壁に鉛直方向に複数形成した図示しない凹部に調整釦７７の図示しない凸部が係合することで筒状部７６からの軸心部７８の突出高さが調整され、結果として支持ステー４２を上下調整可能とする。
【００８１】
このように第一・第二支持部６２，７０を構成することで、第一・第二自在継手６３，７９による支持ステー４２の可及的で柔軟な動きが可能となるため、図３に示すように、把持部４８を把持しつつ操作ステー部４１を作業者Ｍ側に位置させれば畝Ｕ間を自然な姿勢で歩行でき、畝Ｕ上の簡易蔓切機１を楽な姿勢で操作することができる。
【００８２】
なお、第二支持部７０の高さ調整部７５をショックアブソーバ等の衝撃緩衝部材とすれば畝Ｕ上の簡易蔓切機１の走行安定性を更に向上させることができ、また、第一・第二自在継手６３，７９を所定の位置で固定できるように構成してもよい。
【００８３】
また、第二支持部７０は、図１１に示すように構成してもよく、具体的には、外観視コ字状の垂直ステー８１の開放端側を上方として本体部１２の上片１３にボルト８２で螺設し、垂直ステー８１の開放端の間隙に丸棒状の調整ステー８３を介設すると共に、調整ステー８３が遊貫する調整ステー挿通孔８５を穿設した突片８４を下部側に有する上述の第二支持ステー固定部７１を配設して第二支持部７０ａを構成している。
【００８４】
このように構成することで、第二自在継手７９によらずシンプルで安価に支持ステー４２を水平方向に移動自在とすることができ、また、第二支持ステー固定部７１の左右の動きを規制する場合は、調整ステー８３に挿通自在に円環状に形成した固定リング７４を用いればよい。
【００８５】
固定リング７４は、外側面から調整ステー８３に達する雌ネジ孔を螺刻し、雄ネジを螺入して調整ステー８３に付勢させることで任意の位置に略固定されるよう形成しており、第二支持ステー固定部７１の突片８４を２つの固定リング７４で挟持固定させれば調整ステー８３の任意の位置に支持ステー４２を略固定することができる。
【００８６】
なお、第一・第二支持部６２，７０、（７０ａ）の構成は本実施形態に限定されるものではなく、本発明の要旨の範囲内において、種々の変形・変更が可能である。
【００８７】
以上、説明したように本実施形態に係る簡易蔓切機１は構成しており、畝Ｕ上に載置され畝Ｕ上を走行自在とした一対の前車輪２と一対の後車輪３と、前後車輪２，３の間隙に配設した本体部１２と、本体部１２に突設して後方に上昇して伸延する操作ステー部４１と、からなり、本体部１２は、前後車輪２，３の車軸６方向と同方向に回動自在に軸支した回動軸２５と、回動軸２５から放射方向に突設した軸受部２７に２つのフレール刃３１を拡開して軸支した複数の切断部２６と、回動軸２５を正逆駆動自在とする電気モーター３７と、を備え、操作ステー部４１は、把持部４８と、電気モーター３７の動作を操作する操作部４９と、を有すると共に、操作部４９には少なくとも電気モーター３７の正逆回転を切替自在とする切替スイッチ５１を備えたことより、畝Ｕの高さのバラツキや畝Ｕ間の平坦性に影響されず畝Ｕ上を走行させることができるため株元の茎葉部Ｋを安定的に切断することができる。
【００８８】
また、万一、フレール刃３１がマルチフィルムＦと接触して巻き込んでも切替スイッチ５１で可及的に回動軸２５を逆回転させて巻き込みを解消することができる。
【００８９】
また、重量物となる機構を備えておらずシンプルで小型・軽量なので取り扱いが容易であり、畝Ｕ上を走行させても畝Ｕ内の収穫物Ｓに負荷を与えず、更に、未使用時の収納場所に困ることもなく、しかも、安価に製造することができる。
【００９０】
また、操作ステー部４１は、本体部１２を基点として左右に移動自在に形成したことより、畝Ｕ間に跨ることなく一本の畝Ｕ間を歩行しながら簡易蔓切機１を走行させることができるので楽な姿勢で効率よく作業を行なうことができる。
【００９１】
また、操作ステー部４１は、本体部１２を基点として上下に移動自在に形成したことより、畝Ｕの高さがバラついても簡易蔓切機１を安定して走行させることができ、更に、背丈の異なる作業者Ｍでも共通使用が可能なので汎用性に優れている。
【００９２】
更に、前後車輪２，３は、円錐台状に形成して縮径した上底部４が内側となるよう配置したことより、前後車輪２，３が畝Ｕ上の両縁部を挟持するようにして安定走行させることができる。
【００９３】
しかも、フレール刃３１の刃部３４は、上部に頂角３５をなす断面視二等辺三角形状に形成し、フレール刃３１の基部３２と刃部３４とでなす角度θを１１０°以上１３０°以内に形成したことより、広い刃幅で茎葉部Ｋを安定的に切断でき、更に、左右の畝Ｕ間に伸びる蔓Ｋ１を的確に捕らえて切断でき、しかも、フレール刃３１の片側の一方の刃が消耗しても取付け位置を逆にすれば他方の刃で切断が可能となるためフレール刃３１の寿命を延ばすことができる。
【００９４】
以上、本発明の好ましい実施形態について説明したが、本発明は係る特定の実施形態に限定されるものではなく、特許請求の範囲に記載された本発明の要旨の範囲内において、種々の変形・変更が可能である。
【符号の説明】
【００９５】
Ｕ  畝
θ  角度
１  簡易蔓切機
２  前車輪
３  後車輪
４  上底部
６  車軸
２５  回動軸
２６  切断部
２７  軸受部
３１  フレール刃
３２  基部
３４  刃部
３５  頂角
３７  電気モーター
４８  把持部
４９  操作部
５１  切替スイッチ
【要約】
【課題】マルチフィルムで被覆された畝上を走行させることで長尺の蔓を有する甘藷等の茎葉部を容易に切断することができる簡易蔓切機を提供する。
【解決手段】本発明に係る簡易蔓切機１は、一対の前車輪２と一対の後車輪３と、前後車輪２，３の間隙に配設した本体部１２と、本体部１２に突設して後方に上昇して伸延する操作ステー部４１と、からなり、本体部１２は、前後車輪２，３の車軸６方向と同方向に回動自在に軸支した回動軸２５と、回動軸２５から放射方向に突設した軸受部２７に２つのフレール刃３１を拡開して軸支した複数の切断部２６と、回動軸２５を正逆駆動自在とする電気モーター３７と、を備え、操作ステー部４１は、把持部４８と、電気モーター３７の動作を操作する操作部４９と、を有すると共に、操作部４９には少なくとも電気モーター３７の正逆回転を切替自在とする切替スイッチ５１を備えたことを特徴とする。
【選択図】図１【図１】
0006746815.tif 000002
【図２】
0006746815.tif 000003
【図３】
0006746815.tif 000004
【図４】
0006746815.tif 000005
【図５】
0006746815.tif 000006
【図６】
0006746815.tif 000007
【図７】
0006746815.tif 000008
【図８】
0006746815.tif 000009
【図９】
0006746815.tif 000010
【図１０】
0006746815.tif 000011
【図１１】
0006746815.tif 000012